(57)【要約】【課題】複数の画像入力に対応し、各画像を１画面内で任意に配置して投影させる。【解決手段】複数の画像信号を入力する入力系11〜13と、画像信号に応じた光像を形成して投影画面に投影する投影系15〜19と、上記投影画面中に複数の投影範囲を個々に指定する操作部35（，32〜34）と、指定した投影画面中の複数の投影範囲と入力系11〜13で入力する複数の画像信号に応じて、各投影範囲に投影される画像信号を選択する操作部35と、操作部35で選択した結果に基づいて複数の画像からなる画像信号を生成する投影画像処理部14と、投影画像処理部14で生成した画像信号に基づいて投影系15〜19で投影させるＣＰＵ32、メインメモリ33及びプログラムメモリ34とを備える。【選択図】図１
2011158844.tif 000002
【特許請求の範囲】
【請求項１】
複数の画像信号を入力する入力手段と、
画像信号に応じた光像を形成して投影画面に投影する投影手段と、
上記投影画面中に複数の投影範囲を個々に指定する範囲指定手段と、
上記範囲指定手段で指定した投影画面中の複数の投影範囲と上記入力手段で入力する複数の画像信号に応じて、各投影投影範囲に投影される画像信号を選択する選択手段と、
上記選択手段での背丈化に基づいて複数の画像からなる画像信号を生成する画像生成手段と、
上記画像生成手段で生成した画像信号に基づいて上記投影手段で投影させる投影制御手段と
を具備したことを特徴とする投影装置。
【請求項２】
上記投影手段が画像を投影する範囲を撮影する撮影手段をさらに具備し、
上記範囲指定手段は、上記撮影手段で得る撮影画像中から矩形領域を抽出して投影範囲を指定する
ことを特徴とする請求項１記載の投影装置。
【請求項３】
上記範囲指定手段は、指定した投影範囲を、対応する画像信号で示されるアスペクト比によって修正することを特徴とする請求項１記載の投影装置。
【請求項４】
上記範囲指定手段は、上記選択手段で選択された投影範囲と該投影範囲に投影される画像信号の縦辺及び横辺のいずれかを一致させ、且つ該画像信号に基づいて投影される画像が該投影範囲に収まるように画像の大きさを調整するズーム手段をさらに具備したことを特徴とする請求項１記載の投影装置。
【請求項５】
複数の画像信号を入力する入力部、及び画像信号に応じた光像を形成して投影画面に投影する投影部を備えた投影装置での投影方法であって、
上記投影画面中に複数の投影範囲を個々に指定する範囲指定工程と、
上記範囲指定工程で指定した投影画面中の投影範囲と上記入力部で入力する複数の画像信号に応じて、各投影範囲に投影される画像信号を選択する選択工程と、
上記選択工程での選択結果に基づいて複数の画像からなる画像信号を生成する画像生成工程と、
上記画像生成工程で生成した画像信号に基づいて上記投影部で投影させる投影制御工程と
を有したことを特徴とする投影方法。
【請求項６】
複数の画像信号を入力する入力部、及び画像信号に応じた光像を形成して投影画面に投影する投影部が内蔵したコンピュータが実行するプログラムであって、
上記投影画面中に複数の投影範囲を個々に指定する範囲指定ステップと、
上記範囲指定ステップで指定した投影画面中の複数の投影範囲と上記入力部で入力する複数の画像信号に応じて、各投影範囲に投影される画像信号を選択する選択ステップと、
上記選択ステップでの選択結果に基づいて複数の画像からなる画像信号を生成する画像生成ステップと、
上記画像生成ステップで生成した画像信号に基づいて上記投影部で投影させる投影制御ステップと
をコンピュータに実行させることを特徴とするプログラム。
【発明の詳細な説明】
【技術分野】
【０００１】
本発明は、複数の画像信号を入力して投影を行なう投影装置、投影方法及びプログラムに関する。
【背景技術】
【０００２】
被投射体（例えばスクリーン）上の被投射領域のサイズを取得し、取得した被投射領域と投射する画像が一致するようにズーム倍率を自動で調整する技術が考えられている。（例えば、特許文献１）
【先行技術文献】
【特許文献】
【０００３】
【特許文献１】特開２００６−１２１２４０号公報
【発明の概要】
【発明が解決しようとする課題】
【０００４】
上記特許文献に記載された技術は、入力される画像信号に対応した画像を、被投射領域内で最大限のサイズで投影できるように調整するための技術である。近年は、モバイル環境の発達に伴い、プロジェクタ装置に画像信号を提供できる機器が多く存在しており、複数の機器間でプロジェクタ装置を共有できるように、複数の画像信号を同時に投影可能なプロジェクタ装置も多く製品化されている。
【０００５】
このような複数の画像信号に対応したプロジェクタ装置では、例えば１画面を縦２×横２の計４画面に均等に分割したものや、１画面の中央から左側を大きな１画面とし、画面の右側を上下で２分割して計３画面に分割したものなど、入力される画像信号の数に合わせて、予め設定された複数のマルチ画面構成の中から１つを選択するものとなる。
【０００６】
したがって、必ずしもユーザが所望する構成のマルチ画面が存在するとは限らない。このように、１画面内に複数の画像を任意に配置して投影することが可能な機能が求められている。
【０００７】
この点に関し、投影する単体の画像サイズをズーム機能により調整する上記特許文献の技術では対処できない。
【０００８】
本発明は上記のような実情に鑑みてなされたもので、その目的とするところは、複数の画像入力に対応し、各画像を画面内で任意に配置して投影させることが可能な投影装置、投影方法及びプログラムを提供することにある。
【課題を解決するための手段】
【０００９】
請求項１記載の発明は、複数の画像信号を入力する入力手段と、画像信号に応じた光像を形成して投影画面に投影する投影手段と、上記投影画面中に複数の投影範囲を個々に指定する範囲指定手段と、上記範囲指定手段で指定した投影画面中の複数の投影範囲と上記入力手段で入力する複数の画像信号に応じて、各投影投影範囲に投影される画像信号を選択する選択手段と、上記選択手段での背丈化に基づいて複数の画像からなる画像信号を生成する画像生成手段と、上記画像生成手段で生成した画像信号に基づいて上記投影手段で投影させる投影制御手段とを具備したことを特徴とする。
【００１０】
請求項２記載の発明は、上記請求項１記載の発明において、上記投影手段が画像を投影する範囲を撮影する撮影手段をさらに具備し、上記範囲指定手段は、上記撮影手段で得る撮影画像中から矩形領域を抽出して投影範囲を指定することを特徴とする。
【００１１】
請求項３記載の発明は、上記請求項１記載の発明において、上記範囲指定手段は、指定した投影範囲を、対応する画像信号で示されるアスペクト比によって修正することを特徴とする。
【００１２】
請求項４記載の発明は、上記請求項１記載の発明において、上記範囲指定手段は、上記選択手段で選択された投影範囲と該投影範囲に投影される画像信号の縦辺及び横辺のいずれかを一致させ、且つ該画像信号に基づいて投影される画像が該投影範囲に収まるように画像の大きさを調整するズーム手段をさらに具備したことを特徴とする。
【００１３】
請求項５記載の発明は、複数の画像信号を入力する入力部、及び画像信号に応じた光像を形成して投影画面に投影する投影部を備えた投影装置での投影方法であって、上記投影画面中に複数の投影範囲を個々に指定する範囲指定工程と、上記範囲指定工程で指定した投影画面中の投影範囲と上記入力部で入力する複数の画像信号に応じて、各投影範囲に投影される画像信号を選択する選択工程と、上記選択工程での選択結果に基づいて複数の画像からなる画像信号を生成する画像生成工程と、上記画像生成工程で生成した画像信号に基づいて上記投影部で投影させる投影制御工程とを有したことを特徴とする。
【００１４】
請求項６記載の発明は、複数の画像信号を入力する入力部、及び画像信号に応じた光像を形成して投影画面に投影する投影部が内蔵したコンピュータが実行するプログラムであって、上記投影画面中に複数の投影範囲を個々に指定する範囲指定ステップと、上記範囲指定ステップで指定した投影画面中の複数の投影範囲と上記入力部で入力する複数の画像信号に応じて、各投影範囲に投影される画像信号を選択する選択ステップと、上記選択ステップでの選択結果に基づいて複数の画像からなる画像信号を生成する画像生成ステップと、上記画像生成ステップで生成した画像信号に基づいて上記投影部で投影させる投影制御ステップとをコンピュータに実行させることを特徴とする。
【発明の効果】
【００１５】
本発明によれば、複数の画像入力に対応し、各画像を１画面内で任意に配置して投影させることが可能となる。
【図面の簡単な説明】
【００１６】
【図１】本発明の第１の実施形態に係る機能回路の概略構成を示すブロック図。
【図２】同実施形態に係る複数画像入力に対応した投影画像設定の処理内容を示すフローチャート。
【図３】同実施形態に係る撮影画像の例を示す図。
【図４】同実施形態に係る撮影画像からフィルタファイルを作成する過程の例を示す図。
【図５】同実施形態に係る作成されたフィルタファイルの例を説明する図。
【図６】同実施形態に係るフィルタファイルに対する画像信号の割当て過程の例を示す図。
【図７】本発明の第２の実施形態に係る複数画像入力に対応した投影画像設定の処理内容を示すフローチャート。
【図８】同実施形態に係る投影画像の例を示す図。
【図９】同実施形態に係る投影画像の例を示す図。
【図１０】同実施形態に係る投影画像の例を示す図。
【図１１】同実施形態に係る作成されたフィルタファイルの例を説明する図。
【発明を実施するための形態】
【００１７】
（第１の実施形態）  
以下本発明をＤＬＰ（Ｄｉｇｉｔａｌ  Ｌｉｇｈｔ  Ｐｒｏｃｅｓｓｉｎｇ）（登録商標）方式のデータプロジェクタ装置に適用した場合の第１の実施形態について図面を参照して説明する。
【００１８】
図１は、本実施形態に係るデータプロジェクタ装置１０の機能回路の概略構成を示すブロック図である。  
符号１１はライン入出力部である。このライン入出力部１１は、例えばピンジャック（ＲＣＡ）タイプのビデオ入力端子、Ｄ−ｓｕｂ１５タイプのＲＧＢ入力端子、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格の画像／音声入力端子、及びＵＳＢ（Ｕｎｉｖｅｒｓａｌ  Ｓｅｒｉａｌ  Ｂｕｓ）コネクタを介して、有線接続される外部機器からの画像信号及び音声信号を入力するインタフェースである。
【００１９】
また、符号１２は例えばＩＥＥＥ８０２．１１ａ，１１ｂ，１１ｇ，１１ｎ規格に準拠した無線ＬＡＮインタフェース（Ｉ／Ｆ）である。この無線ＬＡＮインタフェース１２は、無線ＬＡＮアンテナ１３を介して無線接続されるパーソナルコンピュータ等の外部機器との間で画像信号を含む各種信号の送受を行なうインタフェースである。
【００２０】
ライン入出力部１１及び無線ＬＡＮインタフェース１２の少なくとも一方から入力された各種規格の画像信号は、システムバスＳＢを介し、一般にスケーラとも称される投影画像処理部１４に入力される。
【００２１】
投影画像処理部１４は、入力される画像信号を投影に適した所定のフォーマットの画像信号に統一し、内蔵する表示用のバッファメモリに適宜書込んだ後に、書込んだ画像信号を読出して投影画像駆動部１５へ送る。
【００２２】
この際、ＯＳＤ（Ｏｎ  Ｓｃｒｅｅｎ  Ｄｉｓｐｌａｙ）用の各種動作状態を示すシンボル等のデータも必要に応じて投影画像処理部１４内のバッファメモリで画像信号に重畳加工され、加工後の画像信号が読出されて投影画像駆動部１５へ送られる。
【００２３】
投影画像駆動部１５は、送られてきた画像信号に応じて、所定のフォーマットに従ったフレームレート、例えば６０［フレーム／秒］と色成分の分割数、及び表示階調数を乗算した、より高速な時分割駆動により、空間的光変調素子（ＳＬＭ）であるマイクロミラー素子１６を表示駆動する。
【００２４】
このマイクロミラー素子１６は、アレイ状に配列された複数、例えばＸＧＡ（横１０２４画素×縦７６８画素）分の微小ミラーの各傾斜角度を個々に高速でオン／オフ動作して表示動作することで、その反射光により光像を形成する。
【００２５】
一方で、光源部１７から時分割でＲ，Ｇ，Ｂの原色光が循環的に出射される。この光源部１７からの原色光が、ミラー１８で全反射して上記マイクロミラー素子１６に照射される。
【００２６】
そして、マイクロミラー素子１６での反射光で光像が形成され、形成された光像が投影レンズ部１９を介して、投影対象となる図示しないスクリーンに投影表示される。
【００２７】
投影レンズ部１９は、内部にズームレンズ及びフォーカスレンズを有し、各レンズの移動により投影画角及び合焦位置を可変可能とする。
【００２８】
光源部１７は、赤色（Ｒ）光を発する発光ダイオード（以下「Ｒ−ＬＥＤ」と称する）２１、緑色（Ｇ）光を発する発光ダイオード（以下「Ｇ−ＬＥＤ」と称する）２２、及び青色（Ｂ）光を発する発光ダイオード（以下「Ｂ−ＬＥＤ」と称する）２３を有する。
【００２９】
Ｒ−ＬＥＤ２１の発する赤色光は、ダイクロイックミラー２４を透過した後、インテグレータ２５で輝度分布が略均一な光束とされた後に上記ミラー１８へ送られる。
【００３０】
Ｇ−ＬＥＤ２２の発する緑色光は、ダイクロイックミラー２６で反射された後、上記ダイクロイックミラー２４でも反射され、上記インテグレータ２５を介して上記ミラー１８へ送られる。
【００３１】
Ｂ−ＬＥＤ２３の発する青色光は、ミラー２７で反射された後に上記ダイクロイックミラー２６を透過し、その後に上記ダイクロイックミラー２４で反射され、上記インテグレータ２５を介して上記ミラー１８へ送られる。  
上記ダイクロイックミラー２４は、赤色光を透過する一方で、緑色光及び青色光を反射する。上記ダイクロイックミラー２６は、緑色光を反射する一方で、青色光を透過する。
【００３２】
光源部１７の各ＬＥＤ２１〜２３の発光タイミングや駆動信号の波形等を投影光駆動部２８が統括して制御する。投影光駆動部２８は、投影画像駆動部１５から与えられる画像データのタイミングと後述するＣＰＵ３２の制御に応じて上記ＬＥＤ２１〜２３の発光動作を制御する。
【００３３】
また、本ブロック図では投影レンズ部１９と離れた位置に配置するが、実機ではデータプロジェクタ装置１０前面で投影レンズ部１９と隣接するようにして、撮影レンズ部２９を配設する。
【００３４】
この撮影レンズ部２９は、上記投影レンズ部１９と同様に内部にズームレンズ及びフォーカスレンズを有し、各レンズの移動により投影画角及び合焦位置を可変可能とする。撮影レンズ部２９は、上記投影レンズ部１９と各ズームレンズの位置を連動させることで、投影レンズ部１９による投影範囲を確実に撮影することが可能となる。  
また、この撮影レンズ部２９は、例えばコントラスト方式のＡＦ（自動合焦）機能に対応し、合焦状態でのフォーカスレンズの位置、より詳細にはフォーカスレンズを駆動するステッピングモータの駆動位置から、撮影対象となる例えばスクリーンまでの距離が算出可能となる。
【００３５】
撮影レンズ部２９の結像位置には、固体撮像素子として例えばＣＣＤ（Ｃｈａｒｇｅ  Ｃｏｕｐｌｅｄ  Ｄｅｖｉｃｅ：電荷結合素子）３０が配設される。ＣＣＤ３０での撮影により得た画像信号は、撮影画像処理部３１に送られ、Ａ／Ｄ変換によりデジタル化された後に撮影画像処理部３１内部のバッファメモリに保持される。
【００３６】
撮影画像処理部３１は、内部のバッファメモリに保持した画像信号に対して補間処理やガンマ補正処理等の処理を施すもので、処理後に保持される画像信号はＣＰＵ３２により読出される。
【００３７】
上記各回路の動作すべてをＣＰＵ３２が制御する。このＣＰＵ３２は、メインメモリ３３及びプログラムメモリ３４と直接接続される。メインメモリ３３は、ＤＲＡＭで構成され、ＣＰＵ３２のワークメモリとして機能する。プログラムメモリ３４は、電気的書換可能な不揮発性メモリで構成され、ＣＰＵ３２が実行する動作プログラムや各種定型データ等を記憶する。ＣＰＵ３２は、上記プログラムメモリ３４に記憶されている動作プログラムデータ等を読出してメインメモリ３３に展開して記憶させた上で、当該プログラムを実行することにより、このデータプロジェクタ装置１０を統括して制御する。
【００３８】
上記ＣＰＵ３２は、操作部３５からのキー操作信号に応じて各種投影動作を実行する。  
この操作部３５は、データプロジェクタ装置１０の本体に設けられるキー操作部と、このデータプロジェクタ装置１０専用の図示しないリモートコントローラからの赤外光を受光するレーザ受光部とを含む。操作部３５は、ユーザが本体のキー操作部またはリモートコントローラで操作したキーに基づくキー操作信号をＣＰＵ３２へ直接出力する。
【００３９】
本体のキー操作部またはリモートコントローラには、具体的には、電源キー、入力切換キー、フォーカス・アップ／ダウン・キー、ズーム・アップ／ダウン・キー、メニューキー、カーソル（「↑」「↓」「←」「→」）キー、セットキー、キャンセルキー、自動台形補正キー等が備えられる。
【００４０】
上記ＣＰＵ３２はさらに、上記システムバスＳＢを介して音声処理部３６とも接続される。音声処理部３６は、ＰＣＭ音源等の音源回路を備え、投影動作時に与えられる音声データをアナログ化し、スピーカ部３７を駆動して拡声放音させ、あるいは必要によりビープ音等を発生させる。
【００４１】
次に上記実施形態の動作について説明する。  
なお、上述した如く、マイクロミラー素子１６で表示する画像を投影画像処理部１４が作成し、作成した画像を投影画像駆動部１５がマイクロミラー素子１６で表示し、マイクロミラー素子１６での表示に合わせてＬＥＤ２１〜２３を投影光駆動部２８が発光駆動する。また、投影方向の画像を撮影レンズ部２９、及びＣＣＤ３０により撮影画像処理部３１が撮影させる。
【００４２】
これら投影画像処理部１４、投影画像駆動部１５、投影光駆動部２８、及び撮影画像処理部３１は、いずれもＣＰＵ３２の制御の下に動作する。ＣＰＵ３２は、以下に示す処理も含め、プログラムメモリ３４に記憶されている動作プログラムや固定データ等を読出してメインメモリ３３に展開した上で制御処理を実行する。
【００４３】
また、上述した如く上記投影レンズ部１９と撮影レンズ部２９はいずれもズーム機能を有し、互いのズーム画角（投影画角と撮影画角）を連動させることができる。通常動作時においては、２つのレンズ間距離に起因する視差を考慮し、投影レンズ部１９の投影範囲が確実に撮影レンズ部２９での撮影範囲に収まるように、撮影レンズ部２９側の撮影画角を投影レンズ部１９の投影画角に比して若干広めに設定するものとする。
【００４４】
図２は、複数の画像信号の入力に対応した投影画像の設定処理の内容を示すフローチャートである。この図２の処理においては、複数の画像信号に対応した投影画像の投影範囲が予め設定されているような場合、例えばすでに壁面等に設置された複数の額縁に合わせて画像を投影する場合の動作について説明する。
【００４５】
その処理当初にＣＰＵ３２は、撮影画像処理部３１により投影方向の画像を撮影レンズ部２９を介してＣＣＤ３０で撮影させる（ステップＳ１０１）。
【００４６】
撮影した画像信号に対し、撮影画像処理部３１内部のバッファメモリに保持した状態で、輪郭抽出処理を中心とする画像解析処理を実行し、矩形の額位置と撮影対象までの距離とを算出する（ステップＳ１０２）。
【００４７】
図３は、ＣＣＤ３０で撮影された画像ＩＭ１０の例を示す。具体的には、壁面に設置された２つの額縁を撮影し、その撮影画像に対して輪郭抽出を行なった状態での画像を示している。ここでは２つの額縁ＦＭ１１，ＦＭ１２がそれぞれ外枠と内枠の２重の矩形として抽出されている。
【００４８】
このような同心状の２重の矩形を抽出した場合には、その内側に位置する矩形を投影範囲と判断するものとする。
【００４９】
また、上記輪郭抽出による画像処理と平行して、撮影レンズ部２９での撮影時にコントラスト方式のＡＦ機能を実施したことに基づき、その時点でのフォーカスレンズのステップ位置から撮影対象面までの距離を算出する。
【００５０】
これは、予め撮影レンズ部２９のフォーカスレンズのステップ位置と対象までの距離とをルックアップテーブルとしてプログラムメモリ３４内に記憶しておくことにより、即時算出可能となる。
【００５１】
矩形の額位置と対象までの距離とを算出後、後に画像を嵌め込んで投影するためのフィルタファイルを作成する（ステップＳ１０３）。
【００５２】
図４は、このフィルタファイル作成の過程を説明する図である。すなわちフィルタファイルは、上記矩形の額位置と画像の中心位置との相関関係によって定める。より具体的には、上記撮影画像ＩＭ１０中から抽出した矩形の額位置ＦＭ２１，ＦＭ２２で、最も外周に近い位置が外周となるように、図中に破線IVで示すようなフィルタファイルの画像範囲を決定する。なお、図中の点Ｏは、撮影光軸が位置する画像の中心であり、この中心点Ｏを基準にして投影レンズ部１９のズーム機能により矩形の投影範囲が拡大／縮小される。作成したフィルタファイルは、システムバスＳＢを介して投影画像処理部１４内のバッファメモリに保持させておく。
【００５３】
その後、撮影対象上で上記図４の破線ＩＶで示した範囲が投影範囲となるように、投影レンズ部１９側のズームレンズを拡大方向に調整させる（ステップＳ１０４）。このとき併せて、上記ステップＳ１０２で取得した撮影対象までの距離を用いて投影レンズ部１９のフォーカスレンズを駆動させることで、投影画像の自動合焦動作も同時に実行しておく。
【００５４】
投影レンズ部１９側の調整を終えると、あらためて投影画像処理部１４に保持させたフィルタファイルの画像をマイクロミラー素子１６で表示し、投影レンズ部１９により投影対象に向けて投影させる（ステップＳ１０５）。
【００５５】
図５は、投影対象に向けて投影されるフィルタファイルの画像を例示する。同図に示すように、上記額位置ＦＭ２１，ＦＭ２２を最高輝度となる白色とする一方で、その他の残る部分は全面黒色とする。
【００５６】
このフィルタファイルの画像を投影している状態で、入力される画像信号を割当てる白色の額位置を１つ、例えば額位置ＦＭ２１，ＦＭ２２のうちのＦＭ２１を選択する（ステップＳ１０６）。  
ここで、選択すべき額位置があったか否か、すなわち入力画像信号の割当てがまだ終了していないかどうかを確認する（ステップＳ１０７）。
【００５７】
その後、選択した額位置に対して、その時点でライン入出力部１１、無線ＬＡＮインタフェース１２を介して入力されている画像信号のうち、まだ割当てを終えていないものを１つ選択し（ステップＳ１０８）、選択した画像信号を額内で投影する（ステップＳ１０９）。
【００５８】
図６は、額位置ＦＭ２１内に、例えばライン入出力部１１にＲＧＢ信号で入力される画像信号「入力画像１」に基づく画像を嵌め込んで投影している状態を例示する。
【００５９】
こうして、割当てが確定されていない画像信号のうちの１つが額位置に投影された状態で、操作部３５により本体のキー操作部またはリモートコントローラの例えばセットキー操作による確定指示がなされたか否かを判断する（ステップＳ１１０）。
【００６０】
ここでセットキーではなく、カーソルキーが操作された場合には、他の画像信号への切換えが指示されたものとして、他の画像信号を選択するべく、上記ステップＳ１０８からの処理に戻る。
【００６１】
こうして必要な回数だけステップＳ１０８〜Ｓ１１０の処理を繰返し実行し、当該額位置に所望する画像信号の画像が投影された時点で確定のためのセットキー操作を実行する。
【００６２】
この操作を上記ステップＳ１１０で判断すると、以上で１つの額位置に対する画像信号の割当てを終えたこととなるので、次の額位置を選択するべく上記ステップＳ１０６からの処理に進む。
【００６３】
こうしてステップＳ１０６〜Ｓ１１０の処理を順次実行し、各額位置毎に任意の画像信号を割当てる。全額位置に対する画像信号の割当てを終了すると、上記ステップＳ１０７でそれを判断し、以上の処理でフィルタファイルの画像に割当てた、額位置と画像信号との関連情報を確定してメインメモリ３３に保持させた上で（ステップＳ１１１）、この図２の処理を終了し、確定した結果にしたがった全額位置での各画像の同時投影処理に移行する。
【００６４】
なお、上記実施形態では、各額位置に対して順次画像信号を選択して対応付ける場合について説明したが、各額位置のアスペクト比と、各画像信号により投影される画像のアスペクト比とを相互参照して、より近いアスペクト比の画像信号を優先した選択順序としてもよい。
【００６５】
さらには、各額位置に対する画像信号の割当てを、各額位置のアスペクト比と各画像信号により投影される画像のアスペクト比とにより自動的に割当てた後、必要に応じて選択し直すような動作手順としてもよい。
【００６６】
ここで、画像信号の縦横辺のうち額の縦横辺と長さが近いほうの辺を基準として、額のアスペクト比に画像信号より投影される画像のアスペクト比を対応させ、画像が額に収まるようにズーム調整することとする。
【００６７】
以上詳記した如く本実施形態によれば、複数の画像入力に対応し、各画像を１画面内で配置して投影させることが可能となる。
【００６８】
また、上記実施形態では、撮影機能を備え、該機能で得た撮影画像から額の位置及び矩形範囲を画像処理によって抽出して自動的に設定するものとしたので、ユーザの手間を簡略化しながら投影を行なう矩形領域を正確に設定できる。
【００６９】
（第２の実施形態）  
以下本発明をＤＬＰ（登録商標）方式のデータプロジェクタ装置に適用した場合の第２の実施形態について図面を参照して説明する。
【００７０】
なお、本実施形態に係るデータプロジェクタ装置１０′の機能回路の概略構成に関しては、上記図１で示す内容と同様であるため、同一部分には同一符号を用いるものとしてその図示と説明とを省略する。
【００７１】
次に上記実施形態の動作について説明する。  
なお、上述した如く、マイクロミラー素子１６で表示する画像を投影画像処理部１４が作成し、作成した画像を投影画像駆動部１５がマイクロミラー素子１６で表示し、マイクロミラー素子１６での表示に合わせてＬＥＤ２１〜２３を投影光駆動部２８が発光駆動する。
【００７２】
これら投影画像処理部１４、投影画像駆動部１５、及び投影光駆動部２８は、いずれもＣＰＵ３２の制御の下に動作する。ＣＰＵ３２は、以下に示す処理も含め、プログラムメモリ３４に記憶されている動作プログラムや固定データ等を読出してメインメモリ３３に展開した上で制御処理を実行する。
【００７３】
図７は、複数の画像信号の入力に対応した投影画像の設定処理の内容を示すフローチャートである。この図７の処理においては、壁面等に任意の額位置を設定して画像を投影する場合の動作について説明する。
【００７４】
その処理当初にＣＰＵ３２は、額位置を示す矩形の１頂角となる第１点の指定を受付ける（ステップＳ２０１）。  
図８は、このとき投影レンズ部１９より投影される画像の例を示す。初期状態では、全面が黒一色となる画像中にポインタＰＴのみを投影し、操作部３５でカーソルキーによる移動指示と、セットキーによる位置指定とを受付ける。
【００７５】
カーソルキーの操作に対応して投影画面中のポインタＰＴの位置を移動させ、セットキーが操作された時点でその位置を矩形の第１点として指定する。
【００７６】
第１点指定後、同様にカーソルキーとセットキーとによる第２点の指定を受付ける（ステップＳ２０２）。
【００７７】
図９は、上記図８で示した状態で第１点Ｐ１１が指定された後に、第２点を指定するべくポインタＰＴを移動している状態の例である。第２点指定のためにポインタＰＴを移動させる過程で、図示する如くすでに指定された第１点Ｐ１１とその時点のポインタＰＴの位置とを対角とする矩形位置を白色で投影することにより、設定しようとしている額の大きさを提示できる。
【００７８】
第２点が指定された時点で額位置が設定されたこととなるので、第１点及び第２点を対角とする矩形の額位置を設定する（ステップＳ２０３）。
【００７９】
その後、さらなる額位置の設定を行なわないことを指定するかどうかを、例えば操作部３５でのメニューキーの操作があるか否かにより判断する（ステップＳ２０４）。
【００８０】
ここで額位置の設定を終了せず、カーソルキーとセットキーの操作によりさらに他の額位置を設定する場合には、再び上記ステップＳ２０１からの処理に戻る。
【００８１】
図１０は、第１の額位置ＦＭ３１を設定した後、第２の額位置として第１点Ｐ２１を指定し、続いてポインタＰＴを移動して第２点を指定しようとしている状態を示す。
【００８２】
同様にして第２点を指定して２番目の額位置を設定した後に、新たな額位置の設定を行なわないことを指定すると、上記ステップＳ２０４でそれを判断し、以上で額位置の設定を終えたものとして、それまでに設定された額位置により、後に画像を嵌め込んで投影するためのフィルタファイルを作成する（ステップＳ２０３）。作成したフィルタファイルは、システムバスＳＢを介して投影画像処理部１４内のバッファメモリに保持させる。
【００８３】
そして、投影画像処理部１４に保持したフィルタファイルの画像をマイクロミラー素子１６で表示し、投影レンズ部１９により投影対象に向けて投影させる（ステップＳ２０４）。
【００８４】
図１１は、投影対象に向けて投影されるフィルタファイルの画像を例示する。同図に示すように、上記額位置ＦＭ３１，ＦＭ３２を最高輝度となる白色とする一方で、その他の残る部分は全面黒色とする。
【００８５】
なお、この図１１に示すフィルタファイルの画像において、上述した第１の実施形態におけるフィルタファイルのように、指定した額位置のＦＭ３１,ＦＭ３２で画像中心点から最も外周に近い位置が外周となるようにフィルタファイルの画像範囲を決定することとしてもよい。
【００８６】
このフィルタファイルの画像を投影している状態で、入力される画像信号を割当てる白色の額位置を１つ、例えば額位置ＦＭ３１，ＦＭ３２のうちのＦＭ３１を選択する（ステップＳ２０７）。  
ここで、選択すべき額位置があったか否か、すなわち入力画像信号の割当てがまだ終了していないかどうかを確認する（ステップＳ２０８）。
【００８７】
その後、選択した額位置に対して、その時点でライン入出力部１１、無線ＬＡＮインタフェース１２を介して入力されている画像信号のうち、まだ割当てを終えていないものを１つ選択し（ステップＳ２０９）、選択した画像信号を額内で投影する（ステップＳ２１０）。
【００８８】
こうして、割当てが確定されていない画像信号のうちの１つが額位置に投影された状態で、操作部３５により本体のキー操作部またはリモートコントローラの例えばセットキー操作による確定指示がなされたか否かを判断する（ステップＳ２１１）。
【００８９】
ここでセットキーではなく、カーソルキーが操作された場合には、他の画像信号への切換えが指示されたものとして、他の画像信号を選択するべく、上記ステップＳ２０９からの処理に戻る。
【００９０】
こうして必要な回数だけステップＳ２０９〜Ｓ２１１の処理を繰返し実行し、当該額位置に所望する画像信号の画像が投影された時点で確定のためのセットキー操作を実行する。
【００９１】
この操作を上記ステップＳ２１１で判断すると、以上で１つの額位置に対する画像信号の割当てを終えたこととなるので、次の額位置を選択するべく上記ステップＳ２０７からの処理に進む。
【００９２】
こうしてステップＳ２０７〜Ｓ２１１の処理を順次実行し、各額位置毎に任意の画像信号を割当てる。全額位置に対する画像信号の割当てを終了すると、上記ステップＳ２０８でそれを判断する。
【００９３】
ここで、各額位置と、それら各額位置に割当てられた画像信号相互のアスペクト比により、入力される各画像が正しいアスペクト比で投影可能とするため、必要に応じて各額のアスペクト比が変わるように変形する。
【００９４】
この場合、画像信号の縦辺または横辺を基準として、額の横辺または縦辺を適宜拡大して画像信号と等しいアスペクト比となるようにしてもよいし、逆に額の横辺または縦辺を適宜縮小して画像信号と等しいアスペクト比となるようにしてもよい。それらの選択は、事前のモード設定により予め選択可能としても良い。
【００９５】
また、逆に額のアスペクト比は変更せずに、画像信号の縦横辺のうち額の縦横辺と長さが近いほうの辺を基準として、額のアスペクト比に画像信号より投影される画像のアスペクト比を対応させ、画像が額に収まるようにズーム調整することとしてもよい。
【００９６】
こうして入力される画像信号のアスペクト比と等しい、あるいははみ出さないアスペクト比となるように各額を変形させたフィルタファイル画像を最終的なフィルタファイル画像とし、以上の処理でフィルタファイルの画像に割当てた、額位置と画像信号との関連情報を確定してメインメモリ３３に保持させた上で（ステップＳ２１２）、この図７の処理を終了し、確定した結果にしたがった全額位置での各画像の同時投影処理に移行する。
【００９７】
以上詳記した如く本実施形態によれば、複数の画像入力に対応し、各画像を１画面内で任意に配置して投影させることが可能となる。
【００９８】
また、上記実施形態では、各額位置毎に画像信号を割当てた後、割当て他画像信号のアスペクト比と合致するように額の矩形範囲を変形した上で設定するものとしたので、ユーザはおおよその額位置を指定するだけで適正なアスペクト比での矩形指定を行なう必要がなく、ユーザの手間を大幅に簡略化しながらも、投影を行なう矩形領域を正確に設定できる。
【００９９】
なお、上記第１及び第２の実施の形態はいずれもＤＬＰ（登録商標）方式のデータプロジェクタ装置に適用した場合について説明したが、本発明は投影方式や光源の種類などを限定するものではない。
【０１００】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【符号の説明】
【０１０１】
１０…データプロジェクタ装置、１１…ライン入出力部、１２…無線ＬＡＮインタフェース（Ｉ／Ｆ）、１３…無線ＬＡＮアンテナ、１４…投影画像処理部、１５…投影画像駆動部、１６…マイクロミラー素子、１７…光源部、１８…ミラー、１９…投影レンズ部、２１…赤色発光ダイオード（Ｒ−ＬＥＤ）、２２…緑色発光ダイオード（Ｇ−ＬＥＤ）、２３…青色発光ダイオード（Ｂ−ＬＥＤ）、２４…ダイクロイックミラー、２５…インテグレータ、２６…ダイクロイックミラー、２７…ミラー、２８…投影光駆動部、２９…撮影レンズ部、３０…ＣＣＤ、３１…撮影画像処理部、３２…ＣＰＵ、３３…メインメモリ、３４…プログラムメモリ、３５…操作部、ＳＢ…システムバス。
【図１】
2011158844.tif 000003
【図２】
2011158844.tif 000004
【図３】
2011158844.tif 000005
【図４】
2011158844.tif 000006
【図５】
2011158844.tif 000007
【図６】
2011158844.tif 000008
【図７】
2011158844.tif 000009
【図８】
2011158844.tif 000010
【図９】
2011158844.tif 000011
【図１０】
2011158844.tif 000012
【図１１】
2011158844.tif 000013